(57)【要約】【課題】  玉詰まり等が発生しても品質の高いサービスを提供することができる遊技機を提供する。【解決手段】  パチンコ機では、始動入賞口１１１ａに遊技球が入賞すると、可動球受部材１０が開放する。可動球受部材１０の開放中に第１変動入賞装置１０４に遊技球が入賞し、特定入賞口２８に遊技球が入賞すると、大当たり時に継続するラウンド回数を決定するための抽選が行われ、抽選結果表示部５６で表示内容の変動が開始される。また、特定入賞口２８に遊技球が入賞する一方で第１変動入賞装置１０４内で玉詰まりが発生すると、抽選結果表示部５６で表示内容の変動が終了し抽選結果が表示されるまで待機した後にエラー通知が行われる。【選択図】  図１０
2007000191.tif 000002
【特許請求の範囲】
【請求項１】
遊技球が入賞可能な第１状態および遊技球が入賞不能な第２状態のいずれかに変動し、入賞した遊技球を特定入賞口および一般入賞口のいずれかに誘導する第１変動入賞装置と、
前記第１状態および前記第２状態のいずれかに変動する第２変動入賞装置と、
前記特定入賞口に入賞した遊技球を検出する特定入賞口検出手段と、
前記特定入賞口検出手段で遊技球を検出したことを契機として、前記第２変動入賞装置が前記第１状態となるパターンを複数のパターンのなかから決定するための抽選を行う抽選手段と、
その通知内容を所定時間変動させた後に前記抽選手段の抽選結果を通知する抽選結果通知手段と、
前記抽選手段で決定したパターンで前記第２変動入賞装置を制御する入賞装置制御手段と、
前記特定入賞口および前記一般入賞口よりも上流に設けられ、前記第１変動入賞装置に入賞した遊技球を検出する第１検出手段と、
前記特定入賞口および前記一般入賞口よりも下流に設けられ、前記第１変動入賞装置から排出された、または、排出する遊技球を検出する第２検出手段と、
所定の有効期間内に前記第２検出手段の検出回数が前記第１検出手段の検出回数に達しない異常状態であるか否かを判定する異常状態判定手段と、
前記異常状態判定手段が前記異常状態であると判定したときは、所定の通知を行う異常状態通知手段と、
前記抽選結果通知手段で通知内容が変動している間は、前記異常状態通知手段による通知を遅延させる通知遅延手段とを備えることを特徴とする遊技機。
【請求項２】
請求項１において、
さらに、前記異常状態判定手段が前記異常状態であると判定したときは、前記入賞装置制御手段による制御を禁止する制御禁止手段を備えることを特徴とする遊技機。
【請求項３】
請求項１および２のいずれか１項において、
さらに、始動入賞口と、前記始動入賞口に入賞した遊技球を検出する始動入賞口検出手段と、前記始動入賞口検出手段で遊技球を検出したことを契機として前記第１変動入賞装置を制御する第１変動入賞装置制御手段と、前記始動入賞口検出手段で遊技球を検出したときは、前記第１変動入賞装置制御手段による制御を所定期間禁止する第２制御禁止手段とを備えることを特徴とする遊技機。
【発明の詳細な説明】
【技術分野】
【０００１】
本発明は、所定の条件が成立することにより遊技者に不利な状態から遊技者に有利な状態に変動する入賞装置を備える遊技機に係り、特に、玉詰まり等が発生しても品質の高いサービスを提供することができる遊技機に関する。
【背景技術】
【０００２】
従来、所定条件が成立することにより遊技者に不利な状態から遊技者に有利な状態に変動する変動入賞装置を備えるパチンコ機が種々提案されている。この種のパチンコ機としては、例えば、特許文献１記載のパチンコ機が知られている。
特許文献１記載の発明は、始動入賞口および変動入賞装置を有する。変動入賞装置は、可動球受部材により開閉し、可動球受部材の開放時に入賞した遊技球を特定入賞口および一般入賞口のいずれかに誘導する機構を有する。まず、始動入賞口に遊技球が入賞すると、可動球受部材が所定回数開閉する。そして、可動球受部材の開放時に変動入賞装置に遊技球が入賞し、さらに特定入賞口に入賞すると、特賞状態が生起する。特賞状態では、可動球受部材を所定回数開閉するか変動入賞装置に遊技球が所定数入賞するかのいずれかの条件が成立するまでの期間を１ラウンドとし、所定回数のラウンドが繰り返し行われる。遊技者にとっては、変動入賞装置への入賞機会が増大するので有利な遊技状態である。
【０００３】
また、特定入賞口および一般入賞口よりも上流には、変動入賞装置に入賞した遊技球を検出する入賞検出スイッチが、特定入賞口および一般入賞口よりも下流には、変動入賞装置から排出された遊技球を検出する排出検出スイッチがそれぞれ設けられている。そして、入賞検出スイッチおよび排出検出スイッチで検出した遊技球数が一致しないと判定したときは、玉詰まりが発生したとして警報音および表示灯によりエラーを通知する。
【特許文献１】特開平６−１３４０９４号公報
【発明の開示】
【発明が解決しようとする課題】
【０００４】
ところで、この種のパチンコ機には、遊技性を向上することを目的として複数の変動入賞装置を有するものがある。このパチンコ機は、始動入賞口、第１変動入賞装置、第２変動入賞装置およびラウンド抽選結果表示部を有する。第１変動入賞装置の開閉動作については上記同様であるが、特定入賞口に遊技球が入賞すると、第２変動入賞装置の可動部材を変動するラウンド回数を決定する抽選が行われ、表示内容が所定時間変動した後にその抽選結果がラウンド抽選結果表示部に表示される。そして、決定されたラウンド回数だけ第２変動入賞装置の可動部材が開閉する。
【０００５】
このようなパチンコ機に特許文献１記載の発明を適用した場合、玉詰まりが発生し、入賞検出スイッチおよび排出検出スイッチで検出した遊技球数が一致しないと判定されると、直ちにエラーが通知され、パチンコ機の動作が停止してしまう。しかしながら、特定入賞口に入賞した後、抽選結果が表示されるまでにパチンコ機が停止した場合は、抽選結果を確認できないため、抽選結果を巡ってパチンコホールと遊技者の間でトラブルが生じる可能性が想定される。そのため、品質の高いサービスを提供することができないという問題がある。
そこで、本発明は、このような従来の技術の有する未解決の課題に着目してなされたものであって、玉詰まり等が発生しても品質の高いサービスを提供することができる遊技機を提供することを目的としている。
【課題を解決するための手段】
【０００６】
上記目的を達成するために、本発明に係る請求項１記載の遊技機は、遊技球が入賞可能な第１状態および遊技球が入賞不能な第２状態のいずれかに変動し、入賞した遊技球を特定入賞口および一般入賞口のいずれかに誘導する第１変動入賞装置と、前記第１状態および前記第２状態のいずれかに変動する第２変動入賞装置と、前記特定入賞口に入賞した遊技球を検出する特定入賞口検出手段と、前記特定入賞口検出手段で遊技球を検出したことを契機として、前記第２変動入賞装置が前記第１状態となるパターンを複数のパターンのなかから決定するための抽選を行う抽選手段と、その通知内容を所定時間変動させた後に前記抽選手段の抽選結果を通知する抽選結果通知手段と、前記抽選手段で決定したパターンで前記第２変動入賞装置を制御する入賞装置制御手段と、前記特定入賞口および前記一般入賞口よりも上流に設けられ、前記第１変動入賞装置に入賞した遊技球を検出する第１検出手段と、前記特定入賞口および前記一般入賞口よりも下流に設けられ、前記第１変動入賞装置から排出された、または、排出する遊技球を検出する第２検出手段と、所定の有効期間内に前記第２検出手段の検出回数が前記第１検出手段の検出回数に達しない異常状態であるか否かを判定する異常状態判定手段と、前記異常状態判定手段が前記異常状態であると判定したときは、所定の通知を行う異常状態通知手段と、前記抽選結果通知手段で通知内容が変動している間は、前記異常状態通知手段による通知を遅延させる通知遅延手段とを備える。
【０００７】
このような構成であれば、第１変動入賞装置が第１状態となって第１変動入賞装置に遊技球が入賞し、入賞した遊技球が特定入賞口に入賞すると、特定入賞口検出手段により、特定入賞口に入賞した遊技球が検出され、抽選手段により、これを契機として、第２変動入賞装置が第１状態となるパターンを決定するための抽選が行われる。そして、抽選結果通知手段により、通知内容が所定時間変動した後に抽選結果が通知され、入賞装置制御手段により、決定されたパターンで第２変動入賞装置が制御される。
【０００８】
また、第１変動入賞装置に入賞した遊技球は、第１検出手段により検出され、第１変動入賞装置からの排出された、または、排出する遊技球は、第２検出手段により検出される。そのため、第１変動入賞装置で玉詰まり等が発生した場合は、所定の有効期間内に第２検出手段の検出回数が第１検出手段の検出回数に達しないので、異常状態判定手段により異常状態であると判定され、異常状態通知手段により所定の通知が行われる。しかしながら、抽選結果通知手段で通知内容が変動している間は、通知遅延手段により、異常状態通知手段による通知が遅延する。すなわち、抽選結果が通知されるのを待って所定の通知が行われる。
【０００９】
ここで、第１変動入装置は、第１状態および第２状態のいずれかに変動するものであればどのような構成であってもよく、可動部材を開閉させるような物理的な変動により第１状態および第２状態のいずれかに変動するものであってもよいし、スイッチの有効・無効を切り換えるような論理的な変動により第１状態および第２状態のいずれかに変動するものであってもよい。このことは、第２変動入賞装置についても同様である。したがって、変動には、物理的な変動だけでなく論理的な変動も含まれる。
【００１０】
また、特定入賞口とは、遊技球を入賞または通過させるために第１変動入賞装置に設けられる孔またはゲートのことをいい、例えば、入賞口または作動ゲート等がこれに該当する。したがって、入賞には、単に入賞だけでなく通過も含まれる。このことは、一般入賞口についても同様である。
さらに、本発明に係る請求項２記載の遊技機は、請求項１記載の遊技機において、さらに、前記異常状態判定手段が前記異常状態であると判定したときは、前記入賞装置制御手段による制御を禁止する制御禁止手段を備える。
【００１１】
このような構成であれば、異常状態であると判定されると、制御禁止手段により、入賞装置制御手段による制御が禁止される。すなわち、抽選結果が通知されるのを待って動作が停止する。
さらに、本発明に係る請求項３記載の遊技機は、請求項１および２のいずれか１項に記載の遊技機において、さらに、始動入賞口と、前記始動入賞口に入賞した遊技球を検出する始動入賞口検出手段と、前記始動入賞口検出手段で遊技球を検出したことを契機として前記第１変動入賞装置を制御する第１変動入賞装置制御手段と、前記始動入賞口検出手段で遊技球を検出したときは、前記第１変動入賞装置制御手段による制御を所定期間禁止する第２制御禁止手段とを備える。
【００１２】
このような構成であれば、始動入賞口に遊技球が入賞すると、始動入賞口検出手段により、始動入賞口に入賞した遊技球が検出され、第１変動入賞装置制御手段により、これを契機として第１変動入賞装置が制御される。また、始動入賞口検出手段により遊技球が検出されると、第２制御禁止手段により、第１変動入賞装置制御手段による制御が所定期間禁止される。すなわち、始動入賞口に遊技球が入賞した場合は、その後所定期間内に始動入賞口に遊技球が入賞しても、第１変動入賞装置は動作しない。
ここで、始動入賞口とは、遊技球を入賞または通過させるために遊技盤面に設けられる孔またはゲートのことをいい、例えば、入賞口または作動ゲート等がこれに該当する。したがって、入賞には、単に入賞だけでなく通過も含まれる。
【発明の効果】
【００１３】
以上説明したように、本発明に係る請求項１記載の遊技機によれば、抽選結果が通知されるのを待って異常状態通知手段による通知が行われるので、玉詰まり等が発生しても抽選結果を確認することができる。したがって、パチンコホールと遊技者の間でトラブルが発生する可能性が低減し、従来に比して、品質の高いサービスを提供することができるという効果が得られる。
【発明を実施するための最良の形態】
【００１４】
以下、本発明の実施の形態を図面を参照しながら説明する。図１ないし図１２は、本発明に係る遊技機の実施の形態を示す図である。
本実施の形態は、本発明に係る遊技機を、図１に示すように、複数の変動入賞装置１０４、１０６を有するパチンコ機に適用したものである。
まず、パチンコ機における遊技盤面１０２の構成を説明する。
図１は、パチンコ機における遊技盤面１０２の正面部、特に説明に必要な部分を模式的に示した図である。
図１において、遊技盤面１０２のほぼ中央部には、可動球受部材１０の開閉により遊技球を入賞可能な状態および遊技球を入賞不能な状態のいずれかに変動する第１変動入賞装置１０４が設けられている。
【００１５】
第１変動入賞装置１０４の左右両側には、遊技球を常時入賞可能とする左肩入賞口１２２と、遊技球を常時入賞可能とする右肩入賞口１２３とがそれぞれ設けられている。左肩入賞口１２２および右肩入賞口１２３の下方には、遊技球を常時入賞可能とする左袖入賞口１２４と、遊技球を常時入賞可能とする右袖入賞口１２５とがそれぞれ設けられている。
【００１６】
第１変動入賞装置１０４の下方には、遊技球を常時入賞可能とする始動入賞口１１１ａが設けられており、始動入賞口１１１ａには、遊技球を検出する始動入賞口スイッチ（不図示）が設けられている。
始動入賞口１１１ａの下方には、可動球受部材５０の開閉により遊技球を入賞可能な状態および遊技球を入賞不能な状態のいずれかに変動する第２変動入賞装置１０６が設けられている。
【００１７】
第２変動入賞装置１０６の左右両側には、遊技球を常時入賞可能とする始動入賞口１１１ｂ、１１１ｃがそれぞれ設けられており、始動入賞口１１１ｂ、１１１ｃには、入賞した遊技球を検出する始動入賞口スイッチ（不図示）がそれぞれ設けられている。
第２変動入賞装置１０６の下方であって遊技盤面１０２の最下方には、上記入賞口等のいずれにも入賞しなかった遊技球を回収するためのアウト口１０８が設けられている。また、遊技盤面１０２の周辺には、複数の表示灯１３２が設けられている。
【００１８】
次に、第１変動入賞装置１０４の構造を説明する。
図２は、第１変動入賞装置１０４の正面図である。
図３は、第１変動入賞装置１０４の斜視図である。
第１変動入賞装置１０４には、図２および図３に示すように、一端が軸により支持されその軸を中心とした回転により開閉可能な可動球受部材１０が第１変動入賞装置１０４の左右両側にそれぞれ設けられている。可動球受部材１０は、図示しないソレノイド等により開閉動作し、可動球受部材１０が開放したときにのみ、第１変動入賞装置１０４内に遊技球を入賞可能とする。
【００１９】
第１変動入賞装置１０４内には、可動球受部材１０の開放により入賞した遊技球を集合させるための開口部１２、１４が設けられており、開口部１２、１４には、遊技球を検出する上流検出スイッチ１２ｓ、１４ｓがそれぞれ設けられている。
開口部１２、１４の下方には、第１変動入賞装置１０４の背面方向に下り勾配を有する仕切板１６が設けられ、開口部１２、１４から流下した遊技球を第１変動入賞装置１０４の背面方向に誘導する。
【００２０】
仕切板１６の背面側の端部には、その側面に開口部１８を形成した筒状の回転体２０が設けられている。回転体２０は、図示しない駆動源により第１変動入賞装置１０４の上下方向を回転軸として回転し、開口部１８が正面を向いたときに遊技球を入賞可能とする。
回転体２０の左右両側には、仕切板１６を流下した遊技球のうち開口部１８に入賞しなかったものを集合させるための開口部２２、２４がそれぞれ設けられている。
回転体２０および開口部２２、２４の下方には、第１変動入賞装置１０４の正面方向に下り勾配を有する仕切板２６が設けられ、回転体２０の内部を通じて流下した遊技球および開口部２２、２４から流下した遊技球を第１変動入賞装置１０４の正面方向に誘導する。
【００２１】
仕切板２６の正面側の端部には、仕切板２６を流下した遊技球を入賞可能な特定入賞口２８が設けられており、特定入賞口２８には、遊技球を検出する特定入賞口スイッチ２８ｓが設けられている。特定入賞口２８は、特に、回転体２０の正面に設けられているので、回転体２０の内部を通じて流下した遊技球が入賞しやすい構造となっている。
特定入賞口２８の左右両側には、仕切板２６を流下した遊技球のうち特定入賞口２８に入賞しなかったものを集合させるための一般入賞口３０、３２がそれぞれ設けられている。
【００２２】
図４は、第１変動入賞装置１０４の背面図である。
図５は、第１変動入賞装置１０４の側面図である。
特定入賞口２８および一般入賞口３０、３２の下方には、図４および図５に示すように、それら入賞口２８〜３２に入賞した遊技球を集合して排出するための排出口３４が設けられている。
また、遊技盤１０２の背面には、第１変動入賞装置１０４の排出口３４から排出された遊技球を集合させるための集合樋３６が設けられており、集合樋３６の経路上には、遊技球を検出する下流検出スイッチ３６ｓが設けられている。
【００２３】
次に、第２変動入賞装置１０６の構造を説明する。
図６は、第２変動入賞装置１０６の正面図である。
第２変動入賞装置１０６には、図６に示すように、一端が軸により支持されその軸を中心とした回転により開閉可能な可動球受部材５０が第２変動入賞装置１０６の左右両側にそれぞれ設けられている。可動球受部材５０は、図示しないソレノイド等により開閉動作し、可動球受部材５０が開放したときにのみ、第２変動入賞装置１０６内に遊技球を入賞可能とする。
【００２４】
第２変動入賞装置１０６内には、可動球受部材５０の開放により入賞した遊技球を誘導する誘導路（不図示）が設けられており、誘導路には、遊技球を検出する第２変動入賞装置スイッチ５２、５４が設けられている。
第２変動入賞装置１０６の正面には、７セグメントＬＥＤ等からなる抽選結果表示部５６が設けられている。特定入賞口２８に遊技球が入賞すると、可動球受部材５０を所定回数開閉するか第２変動入賞装置１０６に遊技球が所定数入賞するかのいずれかの条件が成立するまでの期間を１ラウンドとし、継続するラウンド回数が抽選され、その抽選結果が抽選結果表示部５６に表示される。
【００２５】
次に、パチンコ機における主制御部２００の構成を説明する。
図７は、主制御部２００の構成を示すブロック図である。
主制御部２００は、図７に示すように、第１変動入賞装置１０４に入賞した遊技球の数をカウントするための入球ＩＮカウンタ２０２と、第１変動入賞装置１０４から排出された遊技球の数をカウントするための入球ＯＵＴカウンタ２０４と、入球ＩＮカウンタ２０２によるカウントを開始してから入球ＩＮカウンタ２０２および入球ＯＵＴカウンタ２０４の値が一致するまでの有効時間を測定する有効時間判定タイマ２０６と、大当たり時に継続するラウンド回数を決定するための抽選に用いる大当たりラウンド回数抽選テーブル２０８とを有して構成されている。主制御部２００は、例えば、ＣＰＵ、ＲＯＭ、ＲＡＭおよびＩ／Ｆからなり、入球ＩＮカウンタ２０２および入球ＯＵＴカウンタ２０４をＲＡＭに、大当たりラウンド回数抽選テーブル２０８をＲＯＭにそれぞれ格納している。
【００２６】
大当たりラウンド回数抽選テーブル２０８は、所定範囲の各数値（例えば、「０」〜「９９」）と対応付けてラウンド回数（例えば、「４」、「７」、「１５」のいずれか）を登録している。ラウンド回数は、所定数値範囲のいずれかの値を取り得る乱数カウンタから乱数値を取得し、取得した乱数値に対応するラウンド回数を大当たりラウンド回数抽選テーブル２０８から取得することにより決定する。
【００２７】
主制御部２００の入力Ｉ／Ｆには、始動入賞口１１１ａに設けられている始動入賞口スイッチ１３１ａと、始動入賞口１１１ｂ、１１１ｃにそれぞれ設けられている始動入賞口スイッチ１３１ｂ、１３１ｃと、上流検出スイッチ１２ｓ、１４ｓと、下流検出スイッチ３６ｓと、特定入賞口スイッチ２８ｓと、第２変動入賞装置スイッチ５２、５４とが接続されている。
主制御部２００の出力Ｉ／Ｆには、抽選結果表示部５６と、表示灯１３２と、可動球受部材１０を開閉動作させる第１変動入賞装置開放ソレノイド１３４と、可動球受部材５０を開閉動作させる第２変動入賞装置開放ソレノイド１３６と、効果音または通知音を出力するスピーカ１３８とが接続されている。
【００２８】
また、主制御部２００の出力Ｉ／Ｆには、図示しないが、賞球払出装置に対して賞球の払出制御を行う賞球払出制御基板と、賞球払出制御基板からの賞球払出情報や遊技制御に関する情報をホールコンピュータに出力するための外部端子とが接続されている。賞球払出制御基板には、遊技球を遊技盤面１０２に発射する発射装置に対して遊技球の発射制御を行う発射制御基板が接続されており、賞球払出制御基板は、賞球払出装置に供給される遊技球数が不足したときは所定の賞球数を確保するために、発射装置を停止させるための停止信号を発射制御基板に出力する。
【００２９】
次に、主制御部２００で実行される処理を説明する。
主制御部２００のＣＰＵは、マイクロプロセッシングユニットＭＰＵ等からなり、図示しないリセット回路からのリセット信号により所定の動作クロック（例えば、４[ms]）で１サイクルを実行可能な遊技制御プログラムに基づいて動作し、ＲＯＭの所定領域に格納されている遊技制御プログラムを起動させ、図８ないし図１０のフローチャートに示す始動入賞口スイッチ処理、第１変動入賞装置スイッチ処理および大当たり判定処理をそれぞれ時分割で実行する。
【００３０】
初めに、始動入賞口スイッチ処理を説明する。
図８は、始動入賞口スイッチ処理を示すフローチャートである。
始動入賞口スイッチ処理は、ＣＰＵにおいて実行されると、図８に示すように、まず、ステップＳ１００に移行する。
ステップＳ１００では、始動入賞口スイッチ１３１ａ〜１３１ｃから検出信号を受信したか否かを判定し、検出信号を受信したと判定したとき(Yes)は、ステップＳ１０２に移行する。
ステップＳ１０２では、始動入賞口スイッチ１３１ａ〜１３１ｃを無効にするための始動禁止フラグがセットされているか否かを判定し、始動禁止フラグがセットされていないと判定したとき(No)は、ステップＳ１０４に移行する。
【００３１】
ステップＳ１０４では、可動球受部材１０の開閉を制御する第１変動入賞装置開放処理を実行する。第１変動入賞装置開放処理では、始動入賞口スイッチ１３１ａから検出信号を受信したときは、可動球受部材１０を所定時間開放する動作を所定回数（例えば、２回）行うように第１変動入賞装置開放ソレノイド１３４を制御する。また、始動入賞口スイッチ１３１ｂ、１３１ｃから検出信号を受信したときは、可動球受部材１０を所定時間開放する動作を所定回数（例えば、１回）行うように第１変動入賞装置開放ソレノイド１３４を制御する。
【００３２】
次いで、ステップＳ１０６に移行して、有効時間判定タイマ２０６を起動させ、ステップＳ１０８に移行して、始動禁止フラグをセットし、一連の処理を終了して元の処理に復帰させる。
一方、ステップＳ１０２で、始動禁止フラグがセットされていると判定したとき(Yes)、およびステップＳ１００で、始動入賞口スイッチ１３１ａ〜１３１ｃから検出信号を受信しないと判定したとき(No)はいずれも、一連の処理を終了して元の処理に復帰させる。
【００３３】
次に、第１変動入賞装置スイッチ処理を説明する。
図９は、第１変動入賞装置スイッチ処理を示すフローチャートである。
第１変動入賞装置スイッチ処理は、ＣＰＵにおいて実行されると、図９に示すように、まず、ステップＳ２００に移行する。
ステップＳ２００では、上流検出スイッチ１２ｓ、１４ｓから検出信号を受信したか否かを判定し、検出信号を受信したと判定したとき(Yes)は、ステップＳ２０２に移行して、入球ＩＮカウンタ２０２の値を「１」加算し、ステップＳ２０４に移行する。
【００３４】
ステップＳ２０４では、特定入賞口スイッチ２８ｓから検出信号を受信したか否かを判定し、検出信号を受信したと判定したとき(Yes)は、ステップＳ２０６に移行する。
ステップＳ２０６では、大当たり時に継続するラウンド回数を決定するための抽選を行うラウンド回数抽選処理を実行する。ラウンド回数抽選処理では、乱数カウンタから乱数値を取得し、取得した乱数値に対応するラウンド回数を大当たりラウンド回数抽選テーブル２０８から取得することによりラウンド回数を決定する。なお、乱数カウンタは、遊技制御プログラムの１周期において各種処理が終了してから次の動作クロックを入力するまでの期間を利用して更新される。
【００３５】
次いで、ステップＳ２０８に移行して、抽選結果表示部５６の表示内容を所定時間変動した後に、ラウンド回数抽選処理の抽選結果であるラウンド回数を抽選結果表示部５６に表示する抽選結果通知処理を実行し、ステップＳ２１０に移行して、大当たりの発生を示す大当たり発生フラグをセットし、ステップＳ２１２に移行する。
ステップＳ２１２では、下流検出スイッチ３６ｓから検出信号を受信したか否かを判定し、検出信号を受信したと判定したとき(Yes)は、ステップＳ２１４に移行して、入球ＯＵＴカウンタ２０４の値を「１」加算し、一連の処理を終了して元の処理に復帰させる。
【００３６】
一方、ステップＳ２１２で、下流検出スイッチ３６ｓから検出信号を受信しないと判定したとき(No)は、一連の処理を終了して元の処理に復帰させる。
一方、ステップＳ２０４で、特定入賞口スイッチ２８ｓから検出信号を受信しないと判定したとき(No)は、ステップＳ２１２に移行する。
一方、ステップＳ２００で、上流検出スイッチ１２ｓ、１４ｓから検出信号を受信しないと判定したとき(No)は、ステップＳ２０４に移行する。
【００３７】
次に、大当たり判定処理を説明する。
図１０は、大当たり判定処理を示すフローチャートである。
大当たり判定処理は、ＣＰＵにおいて実行されると、図１０に示すように、まず、ステップＳ３００に移行する。
ステップＳ３００では、有効時間判定タイマ２０６が起動しているか否かを判定し、有効時間判定タイマ２０６が起動していると判定したとき(Yes)は、ステップＳ３０２に移行するが、そうでないと判定したとき(No)は、有効時間判定タイマ２０６が起動するまでステップＳ３００で待機する。
【００３８】
ステップＳ３０２では、入球ＩＮカウンタ２０２および入球ＯＵＴカウンタ２０４の値が一致するか否かを判定し、入球ＩＮカウンタ２０２および入球ＯＵＴカウンタ２０４の値が一致すると判定したとき(Yes)は、ステップＳ３０４に移行する。
ステップＳ３０４では、有効時間判定タイマ２０６を停止させ、ステップＳ３０６に移行して、入球ＩＮカウンタ２０２および入球ＯＵＴカウンタ２０４に「０」を設定し、ステップＳ３０８に移行する。
【００３９】
ステップＳ３０８では、大当たり発生フラグがセットされているか否かを判定し、大当たり発生フラグがセットされていると判定したとき(Yes)は、ステップＳ３１０に移行して、第２変動入賞装置１０６を制御する第２変動入賞装置制御処理を実行し、一連の処理を終了して元の処理に復帰させる。
一方、ステップＳ３０８で、大当たり発生フラグがセットされていないと判定したとき(No)は、ステップＳ３１２に移行して、始動禁止フラグをリセットし、一連の処理を終了して元の処理に復帰させる。
【００４０】
一方、ステップＳ３０２で、入球ＩＮカウンタ２０２および入球ＯＵＴカウンタ２０４の値が一致しないと判定したとき(No)は、ステップＳ３１４に移行して、有効時間判定タイマ２０６がタイムアップしたか否かを判定し、有効時間判定タイマ２０６がタイムアップしたと判定したとき(Yes)は、ステップＳ３１６に移行する。
ステップＳ３１６では、エラーの発生を示すエラー発生フラグをセットし、ステップＳ３１８に移行して、大当たり発生フラグがセットされているか否かを判定し、大当たり発生フラグがセットされていると判定したとき(Yes)は、ステップＳ３１０に移行する。
【００４１】
一方、ステップＳ３１８で、大当たり発生フラグがセットされていないと判定したとき(No)は、ステップＳ３２０に移行して、所定のパターンで表示灯１３２を点滅させ、および所定の効果音をスピーカ１３８から出力することによりエラーの旨を通知するエラー通知処理を実行し、ステップＳ３２２に移行する。
ステップＳ３２２では、パチンコ機の内部に設けられているエラー解除ボタン等が押下されたか否かを判定することによりエラー状態が解除されたか否かを判定し、エラー状態が解除されたと判定したとき(Yes)は、ステップＳ３２４に移行するが、そうでないと判定したとき(No)は、ステップＳ３２０に移行する。
【００４２】
ステップＳ３２４では、エラー発生フラグをリセットし、ステップＳ３２６に移行して、入球ＩＮカウンタ２０２および入球ＯＵＴカウンタ２０４に「０」を設定し、ステップＳ３２８に移行して、始動禁止フラグをリセットし、一連の処理を終了して元の処理に復帰させる。
一方、ステップＳ３１４で、有効時間判定タイマ２０６がタイムアップしないと判定したとき(No)は、ステップＳ３０２に移行する。
【００４３】
次に、ステップＳ３１０の第２変動入賞装置制御処理を説明する。
図１１は、第２変動入賞装置制御処理を示すフローチャートである。
第２変動入賞装置制御処理は、ステップＳ３１０において実行されると、図１１に示すように、まず、ステップＳ４００に移行する。
ステップＳ４００では、ステップＳ２０８の抽選結果通知処理が終了したか否かを判定し、抽選結果通知処理が終了したと判定したとき(Yes)は、ステップＳ４０２に移行するが、そうでないと判定したとき(No)は、抽選結果通知処理が終了するまでステップＳ４００で待機する。
【００４４】
ステップＳ４０２では、エラー発生フラグがセットされているか否かを判定し、エラー発生フラグがセットされていないと判定したとき(No)は、ステップＳ４０４に移行する。
ステップＳ４０４では、可動球受部材５０の開閉を制御する第２変動入賞装置開放処理を実行する。第２変動入賞装置開放処理では、可動球受部材５０の開閉動作開始から所定時間が経過するか、第２変動入賞装置１０６に所定数の遊技球が入賞するかのいずれかの条件が成立するまで可動球受部材５０を所定のパターンで開閉するように第２変動入賞装置開放ソレノイド１３６を制御する。
【００４５】
次いで、ステップＳ４０６に移行して、始動禁止フラグをリセットし、ステップＳ４０８に移行して、大当たり発生フラグをリセットし、一連の処理を終了して元の処理に復帰させる。
一方、ステップＳ４０２で、エラー発生フラグがセットされていると判定したとき(Yes)は、ステップＳ４１０に移行して、ステップＳ３２０と同様のエラー通知処理を実行し、ステップＳ４１２に移行する。
【００４６】
ステップＳ４１２では、パチンコ機の内部に設けられているエラー解除ボタン等が押下されたか否かを判定することによりエラー状態が解除されたか否かを判定し、エラー状態が解除されたと判定したとき(Yes)は、ステップＳ４１４に移行するが、そうでないと判定したとき(No)は、ステップＳ４１０に移行する。
ステップＳ４１４では、エラー発生フラグをリセットし、ステップＳ４１６に移行して、入球ＩＮカウンタ２０２および入球ＯＵＴカウンタ２０４に「０」を設定し、ステップＳ４０４に移行する。
【００４７】
次に、本実施の形態の動作を説明する。
まず、パチンコ機に電源が投入されると、主制御部２００により、遊技制御プログラムが実行され、遊技可能な状態となる。遊技者は、貸し出しを受けた遊技球をパチンコ機に装填し、発射ハンドルを操作して遊技球を遊技盤面１０２に発射することにより遊技を行うことができる。
遊技状態において、遊技盤面１０２に発射された遊技球が始動入賞口１１１ａに入賞すると、始動入賞口スイッチ１３１ａにより検出信号が出力される。主制御部２００では、始動入賞口スイッチ１３１ａから検出信号を受信すると、ステップＳ１０４を経て、可動球受部材１０を所定時間開放する動作が２回行われる。また、始動入賞口１１１ｂ、１１１ｃに遊技球が入賞すると、ステップＳ１０４を経て、可動球受部材１０を所定時間開放する動作が１回行われる。
【００４８】
図１２は、パチンコ機の動作を示すタイムチャートである。
図１２に示すように、時刻ｔ１において可動球受部材１０が開放し、時刻ｔ２において可動球受部材１０が閉止すると、ステップＳ１０６を経て、有効時間判定タイマ２０６が起動する。
例えば、可動球受部材１０の開放中に第１変動入賞装置１０４に遊技球が２つ入賞し、時刻ｔ３、ｔ４において上流検出スイッチ１２ｓ、１４ｓにより遊技球が検出されると、ステップＳ２０２を経て、入球ＩＮカウンタ２０２の値が加算されて「２」となる。
【００４９】
次いで、入賞した２つの遊技球のうち一方が特定入賞口２８に入賞し、時刻ｔ５において特定入賞口スイッチ２８ｓにより遊技球が検出されると、ステップＳ２０６、Ｓ２０８を経て、ラウンド回数抽選処理および抽選結果通知処理が実行され、時刻ｔ６において、大当たりの通知および抽選結果の通知が開始される。抽選結果の通知が開始されると、抽選結果表示部５６の表示内容が変動する。
次いで、例えば、特定入賞口２８に入賞した遊技球が第１変動入賞装置１０４から排出され、時刻ｔ７において下流検出スイッチ３６ｓにより遊技球が検出されると、ステップＳ２１４を経て、入球ＯＵＴカウンタ２０４の値が加算されて「１」となる。
【００５０】
一方、入賞した２つの遊技球のうち他方が第１変動入賞装置１０４内で玉詰まりとなると、有効時間判定タイマ２０６がタイムアウトとなる時刻ｔ８に達しても下流検出スイッチ３６ｓにより遊技球が検出されない。そのため、ステップＳ３０２を経て、入球ＩＮカウンタ２０２および入球ＯＵＴカウンタ２０４の値が一致しないと判定される。その結果、ステップＳ３１６を経て、エラー発生フラグがセットされるが、抽選結果表示部５６で表示内容が変動中であるので直ちにエラー通知は行われず、ステップＳ４００を経て、抽選結果表示部５６で表示内容の変動が終了し抽選結果が表示されるまで待機する。そして、時刻ｔ９において抽選結果が表示されると、ステップＳ４１０を経て、表示灯１３２およびスピーカ１３８によりエラー通知が行われる。
【００５１】
このように、特定入賞口２８に遊技球が入賞する一方で第１変動入賞装置１０４内で玉詰まりが発生した場合は、抽選結果であるラウンド回数が遊技者に通知されるのを待ってエラー通知が行われる。
これに対し、特定入賞口２８に遊技球が入賞し、第１変動入賞装置１０４に入賞したすべての遊技球が玉詰まりを起こすことなく第１変動入賞装置１０４から排出されると、ステップＳ２１４を経て、入球ＯＵＴカウンタ２０４の値が加算されて「２」となるので、ステップＳ３０２を経て、入球ＩＮカウンタ２０２および入球ＯＵＴカウンタ２０４の値が一致すると判定される。その結果、ステップＳ４００、Ｓ４０４を経て、抽選結果表示部５６で抽選結果が表示されるのを待って可動球受部材５０が所定のパターンで開閉する。
【００５２】
そして、可動球受部材５０の開放中に第２変動入賞装置１０６に遊技球が入賞すると、賞球払出装置により、１個当たりの入賞につき所定数（例えば、１５個）の賞球が払い出される。
このようにして、本実施の形態では、上流検出スイッチ１２ｓ、１４ｓおよび下流検出スイッチ３６ｓの検出信号に基づいて入球ＩＮカウンタ２０２および入球ＯＵＴカウンタ２０４の値をそれぞれ加算し、有効時間判定タイマ２０６の起動中に加算した入球ＩＮカウンタ２０２および入球ＯＵＴカウンタ２０４の値が一致しないと判定したときは、抽選結果表示部５６で表示内容の変動が終了し抽選結果が表示されるまで待機した後にエラー通知を行うようになっている。
【００５３】
これにより、抽選結果が通知されるのを待ってエラー通知が行われるので、遊技者およびパチンコホールの従業員は、玉詰まりが発生しても抽選結果を確認することができる。したがって、パチンコホールと遊技者の間でトラブルが発生する可能性が低減し、従来に比して、品質の高いサービスを提供することができる。
さらに、本実施の形態では、有効時間判定タイマ２０６の起動中に加算した入球ＩＮカウンタ２０２および入球ＯＵＴカウンタ２０４の値が一致しないと判定したときは、可動球受部材５０の開閉を行わないようになっている。
【００５４】
これにより、玉詰まりが発生した場合は、エラー状態が解除されるまで遊技が停止するので、玉詰まり状態のまま遊技が継続するのを防止することができる。
さらに、本実施の形態では、始動入賞口１１１ａ〜１１１ｃに遊技球が入賞したときは、始動入賞口スイッチ１３１ａ〜１３１ｃを所定期間無効にするようになっている。
これにより、第１変動入賞装置１０４が連続して開放するのを防止することができる。
【００５５】
上記実施の形態において、上流検出スイッチ１２ｓ、１４ｓは、請求項１記載の第１検出手段に対応し、下流検出スイッチ３６ｓは、請求項１記載の第２検出手段に対応し、特定入賞口スイッチ２８ｓは、請求項１記載の特定入賞口検出手段に対応し、始動入賞口スイッチ１３１ａ〜１３１ｃは、請求項３記載の始動入賞口検出手段に対応している。また、ステップＳ１０２、Ｓ１０８は、請求項３記載の第２制御禁止手段に対応し、ステップＳ１０４は、請求項３記載の第１変動入賞装置制御手段に対応し、ステップＳ２０６は、請求項１記載の抽選手段に対応し、ステップＳ２０８は、請求項１記載の抽選結果通知手段に対応している。
【００５６】
また、上記実施の形態において、ステップＳ３０２、Ｓ３１４は、請求項１または２記載の異常状態判定手段に対応し、ステップＳ３２０、Ｓ４１０は、請求項１記載の異常状態通知手段に対応し、ステップＳ３２２、Ｓ４１２は、請求項２記載の制御禁止手段に対応し、ステップＳ４００は、請求項１記載の通知遅延手段に対応している。また、ステップＳ４０４は、請求項１または２記載の入賞装置制御手段に対応している。
【００５７】
なお、上記実施の形態においては、下流検出スイッチ３６ｓを集合樋３６の経路上に設けて構成したが、これに限らず、下流検出スイッチ３６ｓを排出口３４に設けて構成することもできる。
また、上記実施の形態においては、抽選結果表示部５６で表示内容の変動が終了し抽選結果が表示されるまで待機した後にエラー通知を行うように構成したが、さらに、表示内容の変動中または変動開始前に、エラー通知を行うことを予告する予告通知を行うように構成することもできる。ただし、この場合であっても、抽選結果表示部５６には抽選結果が表示される。
【００５８】
また、上記実施の形態において、図８ないし図１１のフローチャートに示す処理を実行するにあたってはいずれも、ＲＯＭにあらかじめ格納されている遊技制御プログラムを実行する場合について説明したが、これに限らず、これらの手順を示したプログラムが記憶された記憶媒体から、そのプログラムをＲＡＭに読み込んで実行するようにしてもよい。
【００５９】
ここで、記憶媒体とは、ＲＡＭ、ＲＯＭ等の半導体記憶媒体、ＦＤ、ＨＤ等の磁気記憶型記憶媒体、ＣＤ、ＣＤＶ、ＬＤ、ＤＶＤ等の光学的読取方式記憶媒体、ＭＯ等の磁気記憶型／光学的読取方式記憶媒体であって、電子的、磁気的、光学的等の読み取り方法のいかんにかかわらず、コンピュータで読み取り可能な記憶媒体であれば、あらゆる記憶媒体を含むものである。
また、上記実施の形態においては、本発明に係る遊技機を、複数の変動入賞装置１０４、１０６を有するパチンコ機に適用したが、これに限らず、本発明の主旨を逸脱しない範囲で他のアミューズメントゲーム機等の遊技機にも適用可能である。
【図面の簡単な説明】
【００６０】
【図１】パチンコ機における遊技盤面１０２の正面部、特に説明に必要な部分を模式的に示した図である。
【図２】第１変動入賞装置１０４の正面図である。
【図３】第１変動入賞装置１０４の斜視図である。
【図４】第１変動入賞装置１０４の背面図である。
【図５】第１変動入賞装置１０４の側面図である。
【図６】第２変動入賞装置１０６の正面図である。
【図７】主制御部２００の構成を示すブロック図である。
【図８】始動入賞口スイッチ処理を示すフローチャートである。
【図９】第１変動入賞装置スイッチ処理を示すフローチャートである。
【図１０】大当たり判定処理を示すフローチャートである。
【図１１】第２変動入賞装置制御処理を示すフローチャートである。
【図１２】パチンコ機の動作を示すタイムチャートである。
【符号の説明】
【００６１】
１０４                        第１変動入賞装置
１０６                        第２変動入賞装置
１０、５０                    可動球受部材
１１１ａ〜１１１ｃ            始動入賞口
１３２                        表示灯
１２、１４、１８、２０、２２  開口部
１６、２６                    仕切板
２０                          回転体
２８                          特定入賞口
５６                          抽選結果表示部
１２ｓ、１４ｓ                上流検出スイッチ
２８ｓ                        特定入賞口スイッチ
３６ｓ                        下流検出スイッチ
５２、５４                    第２変動入賞装置スイッチ
１３１ａ〜１３１ｃ            始動入賞口スイッチ
２００                        主制御部
２０２                        入球ＩＮカウンタ
２０４                        入球ＯＵＴカウンタ
２０６                        有効時間判定タイマ
【図１】
2007000191.tif 000003
【図２】
2007000191.tif 000004
【図３】
2007000191.tif 000005
【図４】
2007000191.tif 000006
【図５】
2007000191.tif 000007
【図６】
2007000191.tif 000008
【図７】
2007000191.tif 000009
【図８】
2007000191.tif 000010
【図９】
2007000191.tif 000011
【図１０】
2007000191.tif 000012
【図１１】
2007000191.tif 000013
【図１２】
2007000191.tif 000014